(57)【要約】【課題】所望の操作履歴を容易に探し出す。【解決手段】中継サーバ４は、携帯電話３から送信されたユーザＩＤが認証されると、トップｗｅｂページ３０を取得して、ＴＷ画像データ３４に変換する。ＴＷ画像データ３４及び擬似ＵＩ表示用データは携帯電話３に送信される。ＴＷ画像データ３４及び擬似ＵＩ３３はＬＣＤ１４に表示される。操作履歴データ５１の中から、受信したユーザＩＤが対応付けられた操作履歴ＩＤが検索され、検索された操作履歴ＩＤの操作シーケンスは、操作回数の多い順に並べられ、履歴一覧画像データ５３に変換される。履歴一覧画像データ５３及び疑似ＵＩ表示用データは、携帯電話３に送信される。履歴一覧画像データ５３及び疑似ＵＩ５５はＬＣＤ１４に表示される。擬似ＵＩ５５をクリックすると、対応した操作履歴ＩＤ信号が中継サーバ４に送信され、操作履歴ＩＤ信号に対応した操作履歴ＩＤの操作シーケンスが実行される。【選択図】図１２
2011141617.tif 000002
【特許請求の範囲】
【請求項１】
操作情報を入力する操作情報入力手段と、画像データを表示する表示器とを有する携帯端末と、
前記携帯端末から送信される端末情報に基づいて前記携帯端末のユーザ認証を行う認証手段と、前記認証手段で認証された携帯端末から送信される操作情報に基づいてｗｅｂサーバからｗｅｂページを取得する取得手段と、前記ｗｅｂページをｗｅｂ画像データに変換するｗｅｂ画像変換手段とを有し、前記ｗｅｂページに設けられたインターフェイスであるページＵＩと同等の機能を有する画像ＵＩを前記ｗｅｂ画像データ上に表示させるための画像ＵＩ表示用データを生成して、前記認証された携帯端末に前記ｗｅｂ画像データ及び画像ＵＩ表示用データを送信する中継サーバと、を備え、
前記ｗｅｂ画像データ及び画像ＵＩを前記表示器に表示することにより、ｗｅｂページの閲覧及び前記操作情報入力手段による操作情報の入力をできるようにするｗｅｂページ閲覧システムにおいて、
前記端末情報と、前記認証手段で認証されてから接続を終了する直前までに前記携帯端末から送信された操作情報とを対応付けた操作履歴情報を記憶する履歴記憶手段と、
前記認証手段で認証されたときに、前記履歴記憶手段に記憶された操作履歴情報の中から、前記認証された携帯端末の端末情報が対応付けられた操作履歴情報を検索する検索手段と、
前記検索手段で複数の操作履歴情報が検索されたときに、前記検索された複数の操作履歴情報を、前記携帯端末と前記中継サーバとの通信状況に基づいた順に並べる並び順制御手段と、
前記並び順制御手段によって並べられた複数の操作履歴情報を、その並びのままで履歴一覧画像データに変換する履歴画像変換手段と、
前記検索手段によって検索された複数の操作履歴情報の各操作情報と同等の操作情報を入力する機能を有する複数の履歴ＵＩを前記履歴一覧画像データ上に表示させるための履歴ＵＩ表示用データを生成する生成手段と、
前記履歴一覧画像データ及び履歴ＵＩ表示用データを前記認証された携帯端末に送信するサーバ送信制御手段と、を前記中継サーバに設け、
前記履歴一覧画像データ及び履歴ＵＩを前記表示器に表示する表示制御手段を前記携帯端末に設けたことを特徴とするｗｅｂページ閲覧システム。
【請求項２】
前記検索手段は、前記履歴記憶手段に記憶された操作履歴情報の中から、前記認証された携帯端末から送信された前記端末情報及び操作情報の両方が対応付けられた操作履歴情報を検索することを特徴とする請求項１記載のｗｅｂページ閲覧システム。
【請求項３】
前記中継サーバには複数の携帯端末が接続可能であり、
前記履歴記憶手段は、前記操作履歴情報を前記複数の携帯端末それぞれの端末情報毎に分類して記憶することを特徴とする請求項１または２記載のｗｅｂページ閲覧システム。
【請求項４】
前記履歴記憶手段は、同一の端末情報を有する携帯端末から同一の操作情報が入力されたときにその回数をカウントし、カウントした回数情報も対応付けた操作履歴情報を記憶し、
前記並び順制御手段は、前記検索手段で検索された操作履歴情報を、前記携帯端末と前記中継サーバとの通信状況である前記回数情報に基づいた順に並べることを特徴とする請求項１ないし３いずれか１つ記載のｗｅｂページ閲覧システム。
【請求項５】
前記携帯端末は、現在地の位置情報を取得する現在地情報取得手段を備え、前記現在地情報取得手段で取得された現在地情報を前記中継サーバに送信し、
前記履歴記憶手段は、前記携帯端末から送信された前記現在地情報も対応付けた操作履歴情報を記憶し、
前記並び順制御手段は、前記検索手段で検索された操作履歴情報を、前記携帯端末と前記中継サーバとの通信状況である前記現在地情報に基づいた順に並べることを特徴とする請求項１ないし４いずれか１つ記載のｗｅｂページ閲覧システム。
【請求項６】
前記履歴記憶手段は、前記操作情報が入力された時間情報も対応付けた操作履歴情報を記憶し、
前記並び順制御手段は、前記検索手段で検索された操作履歴情報を、前記携帯端末と前記中継サーバとの通信状況である前記時間情報に基づいた順に並べることを特徴とする請求項１ないし５いずれか１つ記載のｗｅｂページ閲覧システム。
【請求項７】
前記携帯端末は、前記操作情報入力手段により前記履歴ＵＩを選択したときに、対応した操作情報を前記中継サーバに送信することを特徴とする請求項１ないし６いずれか１つ記載のｗｅｂページ閲覧システム。
【請求項８】
前記中継サーバには複数の携帯端末が接続可能であり、
前記中継サーバは、前記複数の携帯端末を前記端末情報に基づいて複数のグループに分類し、
前記検索手段は、前記履歴記憶手段に記憶された操作履歴情報の中から、同じグループに属する携帯端末から送信された前記端末情報が対応付けられた操作履歴情報も検索することを特徴とする請求項１ないし７いずれか１つ記載のｗｅｂページ閲覧システム。
【請求項９】
前記履歴画像変換手段は、前記操作履歴情報を簡易的に表示した簡易履歴情報を生成して、前記簡易履歴情報を前記履歴一覧画像データに変換することを特徴とする請求項１ないし８いずれか１つ記載のｗｅｂページ閲覧システム。
【請求項１０】
操作情報を入力する操作情報入力手段と、画像データを表示する表示器とを有する携帯端末と、
前記携帯端末から送信される端末情報に基づいて前記携帯端末のユーザ認証を行う認証手段と、前記認証手段で認証された携帯端末から送信される操作情報に基づいてｗｅｂサーバからｗｅｂページを取得する取得手段と、前記ｗｅｂページをｗｅｂ画像データに変換するｗｅｂ画像変換手段とを有し、前記ｗｅｂページに設けられたインターフェイスであるページＵＩと同等の機能を有する画像ＵＩを前記ｗｅｂ画像データ上に表示させるための画像ＵＩ表示用データを生成して、前記認証された携帯端末に前記ｗｅｂ画像データ及び画像ＵＩ表示用データを送信する中継サーバと、を備え、
前記ｗｅｂ画像データ及び画像ＵＩを前記表示器に表示することにより、ｗｅｂページの閲覧及び前記操作情報入力手段による操作情報の入力をできるようにするｗｅｂページ閲覧システムの制御方法において、
前記端末情報と、前記認証手段で認証されてから接続を終了する直前までに前記携帯端末から送信された操作情報とを対応付けた操作履歴情報を記憶する履歴記憶ステップと、
前記認証手段で認証されたときに、前記履歴記憶ステップで記憶された操作履歴情報の中から、前記認証された携帯端末の端末情報が対応付けられた操作履歴情報を検索する検索ステップと、
前記検索ステップで複数の操作履歴情報が検索されたときに、前記検索された複数の操作履歴情報を、前記携帯端末と前記中継サーバとの通信状況に基づいた順に並べる並び順制御ステップと、
前記並び順制御ステップで並べられた複数の操作履歴情報を、その並びのままで履歴一覧画像データに変換する履歴画像変換ステップと、
前記検索ステップによって検索された複数の操作履歴情報の各操作情報と同等の操作情報を入力する機能を有する複数の履歴ＵＩを前記履歴一覧画像データ上に表示させるための履歴ＵＩ表示用データを生成する生成ステップと、
前記履歴一覧画像データ及び履歴ＵＩ表示用データを前記認証された携帯端末に送信するサーバ送信制御ステップと、
前記履歴一覧画像データ及び履歴ＵＩを前記表示器に表示する表示制御ステップと、
を有することを特徴とするｗｅｂページ閲覧システムの制御方法。
【請求項１１】
携帯端末から送信される端末情報に基づいて前記携帯端末のユーザ認証を行う認証手段と、前記認証手段で認証された携帯端末から送信される操作情報に基づいてｗｅｂサーバからｗｅｂページを取得する取得手段と、前記ｗｅｂページをｗｅｂ画像データに変換するｗｅｂ画像変換手段とを有し、前記ｗｅｂページに設けられたインターフェイスであるページＵＩと同等の機能を有する画像ＵＩを前記ｗｅｂ画像データ上に表示させるための画像ＵＩ表示用データを生成して、前記認証された携帯端末に前記ｗｅｂ画像データ及び画像ＵＩ表示用データを送信する中継サーバにおいて、
前記端末情報と、前記認証手段で認証されてから接続を終了する直前までに前記携帯端末から送信された操作情報とを対応付けた操作履歴情報を記憶する履歴記憶手段と、
前記認証手段で認証されたときに、前記履歴記憶手段に記憶された操作履歴情報の中から、前記認証された携帯端末の端末情報が対応付けられた操作履歴情報を検索する検索手段と、
前記検索手段で複数の操作履歴情報が検索されたときに、前記検索された複数の操作履歴情報を、前記携帯端末と前記中継サーバとの通信状況に基づいた順に並べる並び順制御手段と、
前記並び順制御手段によって並べられた複数の操作履歴情報を、その並びのままで履歴一覧画像データに変換する履歴画像変換手段と、
前記検索手段によって検索された複数の操作履歴情報の各操作情報と同等の操作情報を入力する機能を有する複数の履歴ＵＩを前記履歴一覧画像データ上に表示させるための履歴ＵＩ表示用データを生成する生成手段と、
前記履歴一覧画像データ及び履歴ＵＩ表示用データを前記認証された携帯端末に送信するサーバ送信制御手段と、
を備えたことを特徴とする中継サーバ。
【発明の詳細な説明】
【技術分野】
【０００１】
本発明は、ｗｅｂページ閲覧システム及びその制御方法、中継サーバに関するものである。
【背景技術】
【０００２】
近年、ｗｅｂページ閲覧システムとして、携帯電話等のクライアント側から送信される操作情報に基づいて、中継サーバがｗｅｂサーバからｗｅｂページを取得し、この取得したｗｅｂページを画像データに変換した後に携帯電話に送信するシンクライアントシステムが知られている。このシンクライアントシステムでは、携帯電話のＬＣＤに画像データを表示することにより、ｗｅｂページを閲覧することができ、携帯電話でｗｅｂページを画像データに変換する処理を行う必要がないため、携帯電話でのデータ処理量が抑えられる。
【０００３】
ｗｅｂページには、操作情報を入力するためのテキスト入力ボックス、チェックボックス、ボタン、リンクなどといったページＵＩ（ユーザインタフェース）が設けられている。ｗｅｂページを画像データに変換すると、ページＵＩの機能が損なわれ、操作情報の入力が行えなくなるため、シンクライアントシステムでは、ページＵＩと同等の機能を有する画像ＵＩを画像データ上に表示させることにより、携帯端末の操作部による操作情報の入力を行うことができるようにしている。
【０００４】
携帯電話は、小型化が進んでおり、操作情報を入力する入力ボタンやメニューキー等の操作部のサイズも小さく、複雑な操作情報を入力することが難しいため、携帯電話での操作情報の入力を簡素化することが求められている。例えば、引用文献１記載の操作提示サーバ、操作提示端末、操作提示方法では、携帯電話に操作履歴を記憶して、この記憶した操作履歴を中継サーバに送信し、中継サーバで受信した操作履歴の一連の操作と等価でこの一連の操作よりも短い簡略操作を算出して携帯電話に送信することにより、簡略操作を行うだけで複雑な操作に対応した制御を行うことができるようにしている。
【０００５】
特許文献２記載の制御情報出力装置及び情報システムでは、ユーザ端末で実行するアプリケーションが、時刻、場所等のユーザ要因や、ジャンル、制作者等のメディア要因のいずれに依存しているかを示す依存特性情報を記憶している。この依存特性情報に基づいて、ユーザ端末で新たに選択されたアプリケーションが依存している依存性要因を検索し、この検索した依存性要因に依存している関連アプリケーションを選択する。そして、検索した依存性要因に基づいて、選択した関連アプリケーションへの要求度を算出し、要求度が高い関連アプリケーションを自動的に実行することにより、端末での操作情報の入力を簡素化させている。
【０００６】
また、引用文献３記載の携帯端末では、メニューの遷移履歴を含む操作履歴を記憶して、次の操作時には、この記憶した操作履歴の一覧をＬＣＤに表示する。そして、ＬＣＤに表示されたメニューの遷移履歴の中から所望の１つを選択すると、この選択されたメニューの画面を表示することにより、携帯端末での操作情報の入力を簡素化させている。この操作履歴の一覧表示では、表示された操作履歴の中の１つを選択する１回の操作だけで、所望の画面に切り換えることができるため、特許文献１及び２に比べて、より一層入力の簡素化を図ることができる。
【先行技術文献】
【特許文献】
【０００７】
【特許文献１】特開２００２−１４９３１０号公報
【特許文献２】特開２００２−０８２７０２号公報
【特許文献３】特開２００８−２９３２４３号公報
【発明の概要】
【発明が解決しようとする課題】
【０００８】
携帯電話で行う操作は、時間、場所等のサーバとの接続状況によってある程度限られる。例えば、朝から夕方まではビジネス用の情報を検索するｗｅｂサーバに接続する操作を行うことが多く、夜は遊び用の情報を検索するｗｅｂサーバに接続する操作を行うことが多い。特許文献３のような操作履歴の一覧表示を、ｗｅｂサーバへの接続に関する操作履歴の一覧表示として行ったものでは、この表示された操作履歴一覧の中から所望の操作履歴を選択することで、操作情報の入力を簡素化することができるが、操作履歴は新しく記憶された順に並べられるため、朝にビジネス用の情報を検索するｗｅｂサーバに接続する操作履歴を選択したい場合でも、前日の夜に遊び用の情報を検索するｗｅｂサーバに接続した操作履歴から順に表示される。このため、所望の操作履歴に辿り着くまで手間が掛かる。
【０００９】
本発明は、上記課題を解決するためになされたものであり、所望の操作履歴を容易に探し出すことができるようにしたｗｅｂページ閲覧システム及びその制御方法、中継サーバを提供することを目的とする。
【課題を解決するための手段】
【００１０】
上記目的を達成するために、本発明のｗｅｂページ閲覧システムは、操作情報を入力する操作情報入力手段と、画像データを表示する表示器とを有する携帯端末と、前記携帯端末から送信される端末情報に基づいて前記携帯端末のユーザ認証を行う認証手段と、前記認証手段で認証された携帯端末から送信される操作情報に基づいてｗｅｂサーバからｗｅｂページを取得する取得手段と、前記ｗｅｂページをｗｅｂ画像データに変換するｗｅｂ画像変換手段とを有し、前記ｗｅｂページに設けられたインターフェイスであるページＵＩと同等の機能を有する画像ＵＩを前記ｗｅｂ画像データ上に表示させるための画像ＵＩ表示用データを生成して、前記認証された携帯端末に前記ｗｅｂ画像データ及び画像ＵＩ表示用データを送信する中継サーバと、を備え、前記ｗｅｂ画像データ及び画像ＵＩを前記表示器に表示することにより、ｗｅｂページの閲覧及び前記操作情報入力手段による操作情報の入力をできるようにするｗｅｂページ閲覧システムにおいて、前記端末情報と、前記認証手段で認証されてから接続を終了する直前までに前記携帯端末から送信された操作情報とを対応付けた操作履歴情報を記憶する履歴記憶手段と、前記認証手段で認証されたときに、前記履歴記憶手段に記憶された操作履歴情報の中から、前記認証された携帯端末の端末情報が対応付けられた操作履歴情報を検索する検索手段と、前記検索手段で複数の操作履歴情報が検索されたときに、前記検索された複数の操作履歴情報を、前記携帯端末と前記中継サーバとの通信状況に基づいた順に並べる並び順制御手段と、前記並び順制御手段によって並べられた複数の操作履歴情報を、その並びのままで履歴一覧画像データに変換する履歴画像変換手段と、前記検索手段によって検索された複数の操作履歴情報の各操作情報と同等の操作情報を入力する機能を有する複数の履歴ＵＩを前記履歴一覧画像データ上に表示させるための履歴ＵＩ表示用データを生成する生成手段と、前記履歴一覧画像データ及び履歴ＵＩ表示用データを前記認証された携帯端末に送信するサーバ送信制御手段と、を前記中継サーバに設け、前記履歴一覧画像データ及び履歴ＵＩを前記表示器に表示する表示制御手段を前記携帯端末に設けたことを特徴とする。なお、前記検索手段で検索された操作履歴情報が１つの場合にも、前記履歴画像変換手段による画像データへの変換、前記生成手段による履歴ＵＩ表示用データの生成、前記サーバ通信制御手段による送信、前記表示制御手段による表示は行われる。また、前記携帯端末としては、携帯電話、ノートパソコン、ＰＤＡ（Ｐｅｒｓｏｎａｌ  Ｄｉｇｉｔａｌ  Ａｓｓｉｓｔａｎｔ）等が挙げられる。
【００１１】
また、前記検索手段は、前記履歴記憶手段に記憶された操作履歴情報の中から、前記認証された携帯端末から送信された前記端末情報及び操作情報の両方が対応付けられた操作履歴情報を検索することが好ましい。
【００１２】
さらに、前記中継サーバには複数の携帯端末が接続可能であり、前記履歴記憶手段は、前記操作履歴情報を前記複数の携帯端末それぞれの端末情報毎に分類して記憶することが好ましい。
【００１３】
また、前記履歴記憶手段は、同一の端末情報を有する携帯端末から同一の操作情報が入力されたときにその回数をカウントし、カウントした回数情報も対応付けた操作履歴情報を記憶し、前記並び順制御手段は、前記検索手段で検索された操作履歴情報を、前記携帯端末と前記中継サーバとの通信状況である前記回数情報に基づいた順に並べることが好ましい。
【００１４】
さらに、前記携帯端末は、現在地の位置情報を取得する現在地情報取得手段を備え、前記現在地情報取得手段で取得された現在地情報を前記中継サーバに送信し、前記履歴記憶手段は、前記携帯端末から送信された前記現在地情報も対応付けた操作履歴情報を記憶し、前記並び順制御手段は、前記検索手段で検索された操作履歴情報を、前記携帯端末と前記中継サーバとの通信状況である前記現在地情報に基づいた順に並べることが好ましい。
【００１５】
また、前記履歴記憶手段は、前記操作情報が入力された時間情報も対応付けた操作履歴情報を記憶し、前記並び順制御手段は、前記検索手段で検索された操作履歴情報を、前記携帯端末と前記中継サーバとの通信状況である前記時間情報に基づいた順に並べることが好ましい。
【００１６】
さらに、前記携帯端末は、前記操作情報入力手段により前記履歴ＵＩを選択したときに、対応した操作情報を前記中継サーバに送信することが好ましい。
【００１７】
さらに、前記中継サーバには複数の携帯端末が接続可能であり、前記中継サーバは、前記複数の携帯端末を前記端末情報に基づいて複数のグループに分類し、前記検索手段は、前記履歴記憶手段に記憶された操作履歴情報の中から、同じグループに属する携帯端末から送信された前記端末情報が対応付けられた操作履歴情報も検索することが好ましい。
【００１８】
また、前記履歴画像変換手段は、前記操作履歴情報を簡易的に表示した簡易履歴情報を生成して、前記簡易履歴情報を前記履歴一覧画像データに変換することが好ましい。
【００１９】
さらに、本発明のｗｅｂページ閲覧システムの制御方法は、操作情報を入力する操作情報入力手段と、画像データを表示する表示器とを有する携帯端末と、前記携帯端末から送信される端末情報に基づいて前記携帯端末のユーザ認証を行う認証手段と、前記認証手段で認証された携帯端末から送信される操作情報に基づいてｗｅｂサーバからｗｅｂページを取得する取得手段と、前記ｗｅｂページをｗｅｂ画像データに変換するｗｅｂ画像変換手段とを有し、前記ｗｅｂページに設けられたインターフェイスであるページＵＩと同等の機能を有する画像ＵＩを前記ｗｅｂ画像データ上に表示させるための画像ＵＩ表示用データを生成して、前記認証された携帯端末に前記ｗｅｂ画像データ及び画像ＵＩ表示用データを送信する中継サーバと、を備え、前記ｗｅｂ画像データ及び画像ＵＩを前記表示器に表示することにより、ｗｅｂページの閲覧及び前記操作情報入力手段による操作情報の入力をできるようにするｗｅｂページ閲覧システムの制御方法において、前記端末情報と、前記認証手段で認証されてから接続を終了する直前までに前記携帯端末から送信された操作情報とを対応付けた操作履歴情報を記憶する履歴記憶ステップと、前記認証手段で認証されたときに、前記履歴記憶ステップで記憶された操作履歴情報の中から、前記認証された携帯端末の端末情報が対応付けられた操作履歴情報を検索する検索ステップと、前記検索ステップで複数の操作履歴情報が検索されたときに、前記検索された複数の操作履歴情報を、前記携帯端末と前記中継サーバとの通信状況に基づいた順に並べる並び順制御ステップと、前記並び順制御ステップで並べられた複数の操作履歴情報を、その並びのままで履歴一覧画像データに変換する履歴画像変換ステップと、前記検索ステップによって検索された複数の操作履歴情報の各操作情報と同等の操作情報を入力する機能を有する複数の履歴ＵＩを前記履歴一覧画像データ上に表示させるための履歴ＵＩ表示用データを生成する生成ステップと、前記履歴一覧画像データ及び履歴ＵＩ表示用データを前記認証された携帯端末に送信するサーバ送信制御ステップと、前記履歴一覧画像データ及び履歴ＵＩを前記表示器に表示する表示制御ステップと、を有することを特徴とする。
【００２０】
また、本発明の中継サーバは、携帯端末から送信される端末情報に基づいて前記携帯端末のユーザ認証を行う認証手段と、前記認証手段で認証された携帯端末から送信される操作情報に基づいてｗｅｂサーバからｗｅｂページを取得する取得手段と、前記ｗｅｂページをｗｅｂ画像データに変換するｗｅｂ画像変換手段とを有し、前記ｗｅｂページに設けられたインターフェイスであるページＵＩと同等の機能を有する画像ＵＩを前記ｗｅｂ画像データ上に表示させるための画像ＵＩ表示用データを生成して、前記認証された携帯端末に前記ｗｅｂ画像データ及び画像ＵＩ表示用データを送信する中継サーバにおいて、前記端末情報と、前記認証手段で認証されてから接続を終了する直前までに前記携帯端末から送信された操作情報とを対応付けた操作履歴情報を記憶する履歴記憶手段と、前記認証手段で認証されたときに、前記履歴記憶手段に記憶された操作履歴情報の中から、前記認証された携帯端末の端末情報が対応付けられた操作履歴情報を検索する検索手段と、前記検索手段で複数の操作履歴情報が検索されたときに、前記検索された複数の操作履歴情報を、前記携帯端末と前記中継サーバとの通信状況に基づいた順に並べる並び順制御手段と、前記並び順制御手段によって並べられた複数の操作履歴情報を、その並びのままで履歴一覧画像データに変換する履歴画像変換手段と、前記検索手段によって検索された複数の操作履歴情報の各操作情報と同等の操作情報を入力する機能を有する複数の履歴ＵＩを前記履歴一覧画像データ上に表示させるための履歴ＵＩ表示用データを生成する生成手段と、前記履歴一覧画像データ及び履歴ＵＩ表示用データを前記認証された携帯端末に送信するサーバ送信制御手段と、を備えたことを特徴とする。
【発明の効果】
【００２１】
本発明によれば、操作情報と端末情報とを対応付けて記憶した操作履歴情報の中から、認証された携帯端末から送信された端末情報が対応付けられた操作履歴情報を検索して、この検索された操作履歴情報を携帯端末と中継サーバとの接続状況に基づいた順に並べ、この並べた操作履歴情報を画像データに変換した後に携帯端末に送信するから、携帯端末では、操作履歴情報が通信状況に基づいた順で表示される。これにより、通信状況に応じた所望の操作履歴を容易に探し出すことができる。
【００２２】
また、端末情報及び操作情報の両方が対応付けられた操作履歴情報を検索するから、通信状況に応じた所望の操作履歴をより一層容易に探し出すことができる。
【００２３】
さらに、操作履歴情報を、中継サーバに接続可能な複数の携帯端末それぞれの端末情報毎に分類して記憶するから、認証された携帯端末の端末情報が対応付けられた操作履歴を容易に検索することができる。
【００２４】
また、検索された操作履歴情報を、その操作を過去に行った回数に基づいた順に並べるから、回数の多い順に並べれば、実行したい操作履歴である確率が高い操作履歴を優先的に表示させることができる。
【図面の簡単な説明】
【００２５】
【図１】ｗｅｂページ閲覧システムを示す説明図である。
【図２】携帯電話の電気的構成を示すブロック図である。
【図３】トップｗｅｂページを示す説明図である。
【図４】ＵＩ表示用データを示す説明図である。
【図５】トップページ用ｗｅｂ画像データ及び疑似ＵＩをＬＣＤに表示した状態の携帯電話を示す正面図である。
【図６】ニュースｗｅｂページを示す説明図である。
【図７】ＵＩ表示用データを示す説明図である。
【図８】ニュース用ｗｅｂ画像データ及び疑似ＵＩをＬＣＤに表示した状態の携帯電話を示す正面図である。
【図９】ビジネスニュース用ｗｅｂ画像データをＬＣＤに表示した状態の携帯電話を示す正面図である。
【図１０】操作履歴データを示す説明図である。
【図１１】履歴一覧画像データ及び疑似ＵＩをＬＣＤに表示した状態の携帯電話を示す正面図である。
【図１２】ｗｅｂページを閲覧するときの処理の流れを示すフローチャートである。
【図１３】現在地情報に基づいて操作履歴を並べる実施形態の携帯電話の電気的構成を示すブロック図である。
【図１４】操作履歴データを示す説明図である。
【図１５】時刻表用ｗｅｂ画像データ及び疑似ＵＩをＬＣＤに表示した状態の携帯電話を示す正面図である。
【図１６】Ａ駅時刻表用ｗｅｂ画像データをＬＣＤに表示した状態の携帯電話を示す正面図である。
【図１７】図１３に示す実施形態の履歴一覧画像データ及び疑似ＵＩをＬＣＤに表示した状態の携帯電話を示す正面図である。
【図１８】図１３に示す実施形態のｗｅｂページを閲覧するときの処理の流れを示すフローチャートである。
【図１９】接続時間情報に基づいて操作履歴を並べる実施形態の操作履歴データを示す説明図である。
【図２０】タイムカード用ｗｅｂ画像データ及び疑似ＵＩをＬＣＤに表示した状態の携帯電話を示す正面図である。
【図２１】入力完了ｗｅｂ画像データをＬＣＤに表示した状態の携帯電話を示す正面図である。
【図２２】図１９に示す実施形態の履歴一覧画像データ及び疑似ＵＩをＬＣＤに表示した状態の携帯電話を示す正面図である。
【図２３】図１９に示す実施形態のｗｅｂページを閲覧するときの処理の流れを示すフローチャートである。
【図２４】履歴一覧画像データ上にトップページに戻るボタンを設けた携帯電話を示す正面図である。
【発明を実施するための形態】
【００２６】
［第１実施形態］
図１及び図２に示すように、ｗｅｂページ閲覧システム２は、携帯電話３と、中継サーバ４と、ｗｅｂサーバ５とを備える。中継サーバ４は、インターネット６を介して携帯電話３及びｗｅｂサーバ５と接続される。
【００２７】
ｗｅｂサーバ５は、ｗｅｂページを構成するためのページ情報５ａを記憶している。このページ情報５ａは、ＨＴＭＬデータ、及びこれに対応付けられるＣＳＳデータや画像などからなり、パーソナルコンピュータのｗｅｂブラウザ向けに設計されている。なお、ページ情報５ａは、ＨＴＭＬ以外のマークアップ言語で記述されたものでもよい。さらに、ＣＳＳデータや画像は、他のサーバに保管されていてもよい。
【００２８】
携帯電話３は、固定電話や他の携帯電話と通話を行う通話モードと、中継サーバ４に接続するインターネットモードとが設けられている。
【００２９】
携帯電話３は、電源ボタン１１と、インターネットモードに移行させるネットボタン１２と、複数の入力ボタン１３ａ、各種設定、選択及び決定を行うメニューキー１３ｂからなる操作部１３と、ＬＣＤ１４とが設けられている。また、携帯電話３は、インターネット６を介して中継サーバ４と接続される携帯接続部１５と、携帯電話３の各部を統括的に制御するＣＰＵ１６と、メモリ１７とが設けられている。
【００３０】
メモリ１７には、複数の電話番号が記憶されており、通話モード時に、メニューキー１３ｂを操作してメモリ１７に記憶された電話番号を読み出すか、入力ボタン１３ａを操作して電話番号を入力すると、携帯接続部１５を介して携帯電話会社の基地局と無線通信が行われる。そして、携帯電話３内部に配されたマイク及びスピーカ（図示せず）を介して、固定電話や他の携帯電話との通話が行われる。
【００３１】
メモリ１７には、携帯電話３を特定するユーザＩＤ（端末情報）が記憶されている。ネットボタン１２の操作により携帯電話３がネットモードに移行すると、ＣＰＵ１６は、ビューアを起動させ、このビューアを介してｗｅｂサーバ５のトップページに対応するＵＲＬアドレス及びユーザＩＤを中継サーバ４に送信することにより、ｗｅｂページの閲覧を中継サーバ４に要求する。なお、中継サーバ４には、携帯電話３の他にも、複数の携帯端末（図示せず）が接続され、これらの携帯端末も固有のユーザＩＤを有し、携帯電話３と同様の制御を行う。
【００３２】
中継サーバ４は、インターネット６を介して携帯電話３に接続されるサーバ接続部２１、ユーザＩＤを用いてユーザ（携帯電話３）の管理・認証判定を行うユーザ管理・認証部２２、複数のユーザ認証用ＩＤ（例えば、ｕｓｅｒ１〜ｕｓｅｒ１０）を記憶したユーザ認証ＤＢ（データベース）２３が設けられている。
【００３３】
また、中継サーバ４は、携帯電話３からの操作情報に基づいてｗｅｂサーバ５から所望のｗｅｂページを取得するアプリケーションとしてのｗｅｂページ取得部２４、このｗｅｂページ取得部２４で取得されたｗｅｂページを画像データに変換する変換部２５、携帯電話３からの操作情報をｗｅｂページ取得部２４に送るとともに、変換部２５で変換された画像データを携帯電話３に送信する通信制御部２６が設けられている。なお、ｗｅｂページ取得部２４によるｗｅｂページの取得とは、ｗｅｂサーバ５からページ情報５ａを取得して、そのページ情報５ａを解析することにより、ページ情報５ａに応じたｗｅｂページをレンダリングすることである。
【００３４】
中継サーバ４は、ユーザＩＤを受信すると、ユーザ管理・認証部２２により、ユーザＩＤが、ユーザ認証ＤＢ２３に記憶されたユーザ認証用ＩＤと一致するか否かを判定する。一致すると判定された（認証された）場合、ｗｅｂサーバ５に接続して、ｗｅｂページ取得部２４は、ｗｅｂサーバ５のトップページとしてのトップｗｅｂページ３０（図３参照）を取得する。変換部２５は、このトップｗｅｂページ３０を、携帯電話３のＬＣＤ１４で表示可能なトップページ用ｗｅｂ画像データ（以下、「ＴＷ画像データ」と称する）３４（図５参照）に変換し、通信制御部２６は、ＴＷ画像データ３４を携帯電話３に送信する。
【００３５】
図３に示すように、トップｗｅｂページ３０には、テキスト入力ボックス、チェックボックス、ボタン、リンクなどといった種々のユーザインタフェース（ＵＩ）３１が設けられている。
【００３６】
図４に示すように、ＵＩ３１をトップｗｅｂページ３０に表示させるためのＵＩ表示用データ３２は、ＵＩ３１を構成するためのＵＩ情報を含む。このＵＩ情報は、ＵＩ−ＩＤ、トップｗｅｂページ３０上でのＵＩ３１の開始位置を示す座標情報、トップｗｅｂページ３０上でのＵＩ３１の表示サイズ、そのＵＩ３１の形式、リンク先のＵＲＬアドレス、及びそのＵＩ３１のＨＴＭＬタグの属性の値などから構成される。ここで、トップｗｅｂページ３０上での開始位置とは、例えば、ＵＩ３１を矩形の領域で表したときの左上隅の位置である。また、ＨＴＭＬタグの属性とは、例えば、ｔｙｐｅ、ｎａｍｅ、ｖａｌｕｅ、ｔｅｘｔなどである。
【００３７】
中継サーバ４は、トップｗｅｂページ３０に含まれる各ＵＩ３１のそれぞれに対する擬似ＵＩ表示用データ（画像ＵＩ表示用データ）を生成する。擬似ＵＩ表示用データは、ＵＩ３１と同等の機能を有する擬似ＵＩ（画像ＵＩ）３３を画像データ上に表示させるためのデータであり、中継サーバ４は、トップｗｅｂページ３０にＵＩ３１を構成するためのＵＩ情報を基に、そのＵＩ３１に対応する擬似ＵＩ表示用データを生成する。そして、通信制御部２６は、各擬似ＵＩ表示用データをＴＷ画像データ３４とともに携帯電話３に送信する。なお、ＴＷ画像データ３４上での擬似ＵＩ３３の位置やサイズは、トップｗｅｂページ３０の座標系とＴＷ画像データ３４の座標系とを予め関連付けておくことで求めることができる。
【００３８】
図５に示すように、携帯電話３のＣＰＵ１６は、各擬似ＵＩ表示用データ及びＴＷ画像データ３４を中継サーバ４から受信すると、ＴＷ画像データ３４をＬＣＤ１４に表示させるとともに、各擬似ＵＩ表示用データを基に、これらに対応する擬似ＵＩ３３を生成し、生成した各擬似ＵＩ３３をＴＷ画像データ３４の対応する箇所（対応するＵＩ３１が表示されている箇所）の上に重ねて表示させる。例えば、中継サーバ４は、トップｗｅｂページ３０上の「ニュース」というＵＩ３１に対する擬似ＵＩ表示用データを生成する。携帯電話３は、この擬似ＵＩ表示用データを基に、「ニュース」という擬似ＵＩ３３を生成し、この生成した擬似ＵＩ３３をＴＷ画像データ３４の対応する箇所（トップｗｅｂページ３０上で「ニュース」というＵＩ３１が表示されている箇所）の上に重ねて表示させる。なお、各擬似ＵＩ３３には、各ＵＩ３１と同じＵＩ−ＩＤが付与されている。
【００３９】
トップｗｅｂページ３０をＴＷ画像データ３４に変換してしまうと、各ＵＩ３１の機能が損なわれてしまう。これに対し、上記のように、トップｗｅｂページ３０の各ＵＩ３１に対応する各擬似ＵＩ３３をＴＷ画像データ３４に重ねて表示するようにすれば、トップｗｅｂページ３０をＴＷ画像データ３４に変換して送信した際にも、ＨＴＭＬデータからなるトップｗｅｂページ３０と同様に、各擬似ＵＩ３３に操作指示が入力できるようになる。
【００４０】
ＴＷ画像データ３４及び疑似ＵＩ３３をＬＣＤ１４に表示すると、最上部の疑似ＵＩ３３に合わせてカーソルが表示される。ユーザが操作部１３を操作して所望する疑似ＵＩ３３にカーソルを合わせると、このカーソルを合わせた擬似ＵＩ３３の色が変わる。そして、その疑似ＵＩ３３に操作指示を入力すると、操作された擬似ＵＩ３３のＵＩ−ＩＤ、及びその操作内容を示すＵＩ操作信号が携帯電話３から中継サーバ４に送信される。中継サーバ４は、ＵＩ操作信号を受信すると、リンク先のｗｅｂページの取得など、その操作指示に応じた処理を実行する。また、擬似ＵＩ３３の形式がチェックボックスやプルダウンメニューなどである場合には、入力された操作指示に応じて擬似ＵＩ３３の表示を切り替える処理が、携帯電話３で行われる。なお、擬似ＵＩ３３に対する操作指示とは、クリック、テキストの入力、マウスオーバーなど、ｗｅｂページの閲覧において一般的に行われている操作である。また、カーソルを疑似ＵＩ３３に合わせたときに疑似ＵＩ３３の色を変える処理に代えて、疑似ＵＩ３３にマークを付ける、下線を引く、四角で覆う処理を行ってもよい。
【００４１】
ユーザが、例えば「ニュース」という疑似ＵＩ３３にカーソルを合わせてクリックすると、「ニュース」という疑似ＵＩ３３のＵＩ−ＩＤ（ＵＩ−ＩＤ＝１）、及びその疑似ＵＩ３３をクリックしたことを示すＵＩ操作信号が携帯電話３から中継サーバ４に操作され、中継サーバ４は、受信したＵＩ操作信号に基づいて、図６に示すようなニュースｗｅｂページ３５を取得する。変換部２５は、このニュースｗｅｂページ３５を携帯電話３のＬＣＤ１４で表示可能なニュース用ｗｅｂ画像データ（以下、「ＮＷ画像データ」と称する）４４（図８参照）に変換し、通信制御部２６は、ＮＷ画像データ４４を携帯電話３に送信する。
【００４２】
ニュースｗｅｂページ３５には、トップｗｅｂページ３０と同様に、ＵＩ４１が設けられている。図７に示すように、ＵＩ４１をニュースｗｅｂページ３５に表示させるためのＵＩ表示用データ４２は、ＵＩ４１を構成するためのＵＩ情報を含み、このＵＩ情報は、トップｗｅｂページ３０と同様に、ＵＩ−ＩＤ、ＵＩ４１の開始位置を示す座標情報、ＵＩ４１の表示サイズ、そのＵＩ４１の形式、リンク先のＵＲＬアドレス、及びそのＵＩ４１のＨＴＭＬタグの属性の値などから構成される。
【００４３】
中継サーバ４は、ニュースｗｅｂページ３５に含まれる各ＵＩ４１のそれぞれに対する擬似ＵＩ表示用データ（ＵＩ４１と同等の機能を有する擬似ＵＩ（画像ＵＩ）４３を画像データ上に表示させるためのデータ）を生成し、通信制御部２６は、各擬似ＵＩ表示用データをＮＷ画像データ４４とともに携帯電話３に送信する。
【００４４】
図８に示すように、携帯電話３は、各擬似ＵＩ表示用データ及びＮＷ画像データ４４を中継サーバ４から受信すると、ＮＷ画像データ４４をＬＣＤ１４に表示させるとともに、擬似ＵＩ４３を生成し、生成した各擬似ＵＩ４３をＮＷ画像データ４４の対応する箇所の上に重ねて表示させる。なお、各擬似ＵＩ４３には、各ＵＩ４１と同じＵＩ−ＩＤが付与されている。
【００４５】
ユーザが、例えば「ビジネス」という疑似ＵＩ４３をクリックすると、「ビジネス」という疑似ＵＩ４３のＵＩ−ＩＤ（ＵＩ−ＩＤ＝１３）、及びその疑似ＵＩ４３をクリックしたことを示すＵＩ操作信号が携帯電話３から中継サーバ４に操作され、中継サーバ４は、受信したＵＩ操作信号に基づいて、ビジネスニュースｗｅｂページを取得する。変換部２５は、このビジネスニュースｗｅｂページを携帯電話３のＬＣＤ１４で表示可能なビジネスニュース用ｗｅｂ画像データ（以下、「ＢＷ画像データ」と称する）４６（図９参照）に変換し、通信制御部２６は、ＢＷ画像データ４６を携帯電話３に送信する。
【００４６】
図９に示すように、携帯電話３は、中継サーバ４から送信されたＢＷ画像データ４６をＬＣＤ１４に表示させる。
【００４７】
図１に示すように、中継サーバ４は、携帯電話３から入力される一連の操作情報とユーザＩＤとを対応付けた操作履歴情報の学習として操作履歴情報の記憶及び検索を行う操作履歴学習部２７、操作履歴を記憶する操作履歴ＤＢ２８、操作履歴の並び順を制御する並び順制御部２９が設けられている。なお、一連の操作情報とは、携帯電話３がインターネットモードに移行してからインターネットモードを終了する直前までに入力された全ての操作情報であり、インターネットモードに移行させる操作、及びインターネットモードを終了する操作は含まない。
【００４８】
図１０に示すように、操作履歴学習部２７は、操作履歴データ５１を作成して操作履歴ＤＢ２８に記憶する。操作履歴データ５１は、操作履歴ＩＤ、ユーザＩＤ、操作シーケンス、過去にその操作シーケンスを実行した操作回数が対応付けられた複数の操作履歴情報から構成される。操作履歴データ５１は、ユーザＩＤ「ｕｓｅｒ１」、ユーザＩＤ「ｕｓｅｒ２」・・・の順に並べられ、ユーザＩＤ毎に分類されている。新たにユーザＩＤ「ｕｓｅｒ１」が対応付けられた操作履歴を操作履歴データ５１に加える場合には、ユーザＩＤ「ｕｓｅｒ１」が対応付けられた最下部の操作履歴（操作履歴ＩＤ「ＤＤＤ」）の下であって、ユーザＩＤ「ｕｓｅｒ２」が対応付けられた最上部の操作履歴（操作履歴ＩＤ「ＥＥＥ」）の上に加えられる。
【００４９】
操作シーケンスは、どのｗｅｂサイトにアクセスして、どのような操作（クリック、テキスト入力等）を行ったのかを示す一連の操作情報である。例えば、操作履歴ＩＤ「ＢＢＢ」に対応付けられた操作シーケンスは、先ず、図５に示す「Ｆｕｊｉｓｅｅｋ」というサイトで、ＵＩ−ＩＤ＝１（「ニュース」）の擬似ＵＩ３３をクリックして、図８に示す擬似ＵＩ４３をＮＷ画像データ４４に重ねた「Ｆｕｊｉｓｅｅｋ  Ｈｅａｄｌｉｎｅ  Ｎｅｗｓ」というサイト情報をＬＣＤ１４に表示し、次に、「Ｆｕｊｉｓｅｅｋ  Ｈｅａｄｌｉｎｅ  Ｎｅｗｓ」で、ＵＩ−ＩＤ＝１３（「ビジネス」）の擬似ＵＩ４３をクリックする一連の操作情報である。この操作シーケンスを実行することにより、図９に示すＢＷ画像データ４６である「Ｆｕｊｉｓｅｅｋ  ビジネスニュース」というサイト情報がＬＣＤ１４に表示される。
【００５０】
また、操作履歴学習部２７は、携帯電話３から新たにユーザＩＤが入力されたときに、操作履歴データ５１の操作履歴ＩＤの中から、新たに入力されたのと同じユーザＩＤが対応付けられた操作履歴ＩＤを検索する。例えば、ユーザＩＤとして「ｕｓｅｒ１」が入力された場合、操作履歴学習部２７によって、「ｕｓｅｒ１」が対応付けられた「ＡＡＡ」，「ＢＢＢ」，「ＣＣＣ」，「ＤＤＤ」の操作履歴ＩＤが検索され、ユーザＩＤとして「ｕｓｅｒ２」が入力された場合、操作履歴学習部２７によって、「ｕｓｅｒ２」が対応付けられた「ＥＥＥ」，「ＦＦＦ」の操作履歴ＩＤが検索される。
【００５１】
並び順制御部２９は、操作履歴学習部２７で検索された操作履歴ＩＤの操作シーケンスを、操作回数が多い順に並べる。本実施形態では、ユーザＩＤとして「ｕｓｅｒ１」が入力された場合、操作履歴ＩＤ「ＢＢＢ」、「ＡＡＡ」、「ＣＣＣ」、「ＤＤＤ」の操作シーケンスの順に並べられる。
【００５２】
図１１に示すように、変換部２５は、並び順制御部２９によって操作回数の多い順に並べられた操作シーケンスを、携帯電話３のＬＣＤ１４で表示可能な履歴一覧画像データ５３に変換し、通信制御部２６は、この履歴一覧画像データ５３を携帯電話３に送信する。
【００５３】
変換部２５は、履歴一覧画像データ５３に変換するとき、「番号（操作回数の多い順に１，２，３・・・）」、「操作内容（クリック、テキスト入力）」、「移動先」の順に簡易的に表示した操作シーケンス（以下、「簡易操作シーケンス」と称する）を並べた履歴一覧画像データ５３に変換する。
【００５４】
操作履歴学習部２７は、各簡易操作シーケンスを疑似ＵＩ（履歴ＵＩ）５５として画像データ上に表示せるための疑似ＵＩ表示用データ（履歴ＵＩ表示用データ）を生成し、通信制御部２６は、疑似ＵＩ表示用データを履歴一覧画像データ５３とともに携帯電話３に送信する。
【００５５】
携帯電話３は、疑似ＵＩ表示用データ及び履歴一覧画像データ５３を中継サーバ４から受信すると、履歴一覧画像データ５３をＬＣＤ１４に表示させるとともに、疑似ＵＩ表示用データを基に、疑似ＵＩ５５を生成し、生成した各疑似ＵＩ５５を履歴一覧画像データ５３の対応する箇所の上に重ねて表示させる。なお、各擬似ＵＩ５５には、対応する操作履歴ＩＤが付与されている。
【００５６】
ユーザが操作部１３を操作して、擬似ＵＩ５５をクリックすると、このクリックされた疑似ＵＩ５５に対応した操作履歴ＩＤを示す操作履歴ＩＤ信号が、携帯電話３から中継サーバ４に送信される。中継サーバ４で操作履歴ＩＤ信号を受信すると、操作履歴学習部２７は、操作履歴データ５１の中から、受信した操作履歴ＩＤと同じ操作履歴ＩＤを検索する。そして、検索された操作履歴ＩＤの操作シーケンスが実行される。また、中継サーバ４で操作履歴ＩＤ信号を受信すると、操作履歴学習部２７は、受信した操作履歴ＩＤと同じ操作履歴ＩＤに対応付けられた操作回数を、１カウントアップする。
【００５７】
次に、上記第１実施形態の作用について、図１２のフローチャートを用いて説明を行う。先ず、携帯電話３のネットボタン１２を操作すると、携帯電話３はインターネットモードに移行して中継サーバ４と接続され（ステップ（以下、Ｓ）１）、ＣＰＵ１６は、メモリ１７に記憶されたユーザＩＤ及びｗｅｂサーバ５のトップページＵＲＬアドレスを中継サーバ４に送信する。
【００５８】
中継サーバ４は、ユーザＩＤ（例えば、ｕｓｅｒ１）を受信すると、ユーザ管理・認証部２２により、ユーザＩＤが、ユーザ認証ＤＢ２３に記憶されたユーザ認証用ＩＤ（ｕｓｅｒ１〜ｕｓｅｒ１０）と一致するか否かを判定する（Ｓ２）。一致すると判定されて認証された場合（Ｓ３でＹ）、ｗｅｂサーバ５に接続して、ｗｅｂページ取得部２４は、ｗｅｂサーバ５からトップｗｅｂページ３０を取得する（Ｓ４）。変換部２５は、このトップｗｅｂページ３０をＬＣＤ１４で表示可能なＴＷ画像データ３４に変換する（Ｓ５）。これと同時に、中継サーバ４は、トップｗｅｂページ３０に含まれる各ＵＩ３１のそれぞれに対する擬似ＵＩ表示用データを生成し、通信制御部２６は、擬似ＵＩ表示用データ及びＴＷ画像データ３４を携帯電話３に送信する（Ｓ６）。
【００５９】
携帯電話３は、擬似ＵＩ表示用データ及びＴＷ画像データ３４を中継サーバ４から受信すると、ＴＷ画像データ３４をＬＣＤ１４に表示させるとともに、各擬似ＵＩ表示用データを基に、これらに対応する擬似ＵＩ３３を生成し、生成した各擬似ＵＩ３３をＴＷ画像データ３４の対応する箇所の上に重ねて表示させる（Ｓ７）。
【００６０】
中継サーバ４の操作履歴学習部２７は、操作履歴データ５１の操作履歴ＩＤの中から、受信したユーザＩＤが対応付けられた操作履歴ＩＤを検索し、受信したユーザＩＤが対応付けられた操作履歴ＩＤがある場合（Ｓ８でＹ）、並び順制御部２９は、操作履歴学習部２７で検索された操作履歴ＩＤの操作シーケンスを、操作回数の多い順に並べる（Ｓ９）。変換部２５は、並び順制御部２９によって操作回数の多い順に並べられた操作シーケンスを、ＬＣＤ１４に表示可能で「番号」、「操作内容」、「移動先のページ名」の順に簡易的に表示した簡易操作シーケンスを並べた履歴一覧画像データ５３に変換する。これと同時に、操作履歴学習部２７は、各簡易操作シーケンスを疑似ＵＩ５５として画像データ上に表示せるための疑似ＵＩ表示用データを生成し、通信制御部２６は、疑似ＵＩ表示用データを履歴一覧画像データ５３とともに携帯電話３に送信する（Ｓ１０）。
【００６１】
携帯電話３は、疑似ＵＩ表示用データ及び履歴一覧画像データ５３を中継サーバ４から受信する（Ｓ１１でＹ）と、履歴一覧画像データ５３をＬＣＤ１４に表示させるとともに、疑似ＵＩ表示用データを基に、疑似ＵＩ５５を生成し、生成した各疑似ＵＩ５５を履歴一覧画像データ５３の対応する箇所の上に重ねて表示させる（Ｓ１２）。これにより、過去に操作を行った回数が多い操作シーケンスが画像の上の方に表示されるから、その操作シーケンスを検索する手間が軽減される。
【００６２】
ユーザが操作部１３を操作して、所望する操作履歴としての擬似ＵＩ５５（例えば、「１．クリック。ビジネスニュースページに移動」）をクリックする（Ｓ１３）と、操作された擬似ＵＩ５５の操作履歴ＩＤ（ＢＢＢ）を示す操作履歴ＩＤ信号が、携帯電話３から中継サーバ４に送信される（Ｓ１４）。中継サーバ４は、操作履歴ＩＤ信号を受信する（Ｓ１５）と、対応した操作履歴ＩＤ（ＢＢＢ）の操作シーケンスを実行して、ｗｅｂページ（ビジネスニュースｗｅｂページ３５）を取得する（Ｓ１６）。変換部２５は、このビジネスニュースｗｅｂページ３５をＬＣＤ１４で表示可能なＢＷ画像データ４６に変換し（Ｓ１７）、通信制御部２６は、ＢＷ画像データ４６を携帯電話３に送信する（Ｓ１８）。これと同時に、操作履歴学習部２７は、受信した操作履歴ＩＤと同じ操作履歴ＩＤに対応付けられた操作回数を、１カウントアップする（Ｓ１９）。
【００６３】
携帯電話３は、ＢＷ画像データ４６を中継サーバ４から受信すると、ＢＷ画像データ４６をＬＣＤ１４に表示させる（Ｓ２０）。操作部１３を操作して、接続終了操作を実行する（Ｓ２１でＹ）と、ＣＰＵ１６は、中継サーバ４に接続終了要求信号を送信し（Ｓ２２）、中継サーバ４は、接続終了要求信号を受信すると、携帯電話３との接続を終了する（Ｓ２３）。
【００６４】
［第２実施形態］
図１３〜及び図１８に示す第２実施形態のｗｅｂページ閲覧システムでは、中継サーバ４に接続した携帯電話６３の現在地データに基づいた順に、操作履歴を並べる。なお、携帯電話６３以外は、第１実施形態と同じ部材が用いられ、第１実施形態のものと同様の構成部材には同一の符号を付し、その詳細な説明を省略する。
【００６５】
図１３に示すように、携帯電話６３は、現在地を測位してその位置データを取得するＧＰＳユニット６５が設けられている。ＧＰＳユニット６５は、アンテナ６６、ＧＰＳ算出部６７を有する。アンテナ６６は、地球を周回している２４個のＧＰＳ衛星のうち４個以上（例えば、４個）のＧＰＳ衛星からの電波を受信する。この受信した電波は、ＧＰＳ算出部６７に送られる。ＧＰＳ算出部６７には、入力された電波に基づき、現在地の位置データ（緯度・経度）を算出する算出プログラムが格納されている。
【００６６】
インターネットモードに移行されると、ＣＰＵ１６は、ＧＰＳ算出部６７にプログラム起動信号を出力する。プログラム起動信号が入力されると、ＧＰＳ算出部６７は、算出プログラムを起動して、アンテナ６６から入力される電波に基づき、現在地の位置データを算出（４個のＧＰＳ衛星からの距離を同時に知ることにより現在位置を算出）する。中継サーバ４でのユーザ認証判定で認証されると、ＣＰＵ１６は、ＧＰＳユニット６５で算出された現在地データを、中継サーバ３に送信する。
【００６７】
図１４に示すように、操作履歴学習部２７は、操作履歴データ７１を作成して操作履歴ＤＢ２８に記憶する。操作履歴データ７１は、操作履歴ＩＤ、ユーザ情報、操作シーケンスが対応付けられた複数の操作履歴情報から構成される。ユーザ情報は、ユーザＩＤと、接続したときに携帯電話６３から送信された現在地データとから構成されている。
【００６８】
ユーザが、ＬＣＤ１４に表示されたＴＷ画像データ３４上で「時刻表」という疑似ＵＩ３３（ＵＩ−ＩＤ＝４）にカーソルを合わせてクリックすると、図１５に示すように、ＬＣＤ１４に、時刻表用ｗｅｂ画像データ（以下、「ＳＷ画像データ」と称する）７３が表示される。このＳＷ画像データ７３には、「Ａ駅時刻表」，「Ｂ駅時刻表」等の複数の疑似ＵＩ（画像ＵＩ）７４が重ねて表示される。なお、「時刻表」という疑似ＵＩ３３にカーソルを合わせてクリックしてから、ＬＣＤ１４にＳＷ画像データ７３及び疑似ＵＩ７４を表示するまでの制御は、第１実施形態において擬似ＵＩ４３及びＮＷ画像データ４４をＬＣＤ１４に表示するまでの制御と同様に行われる。
【００６９】
ユーザが、例えば「Ａ駅時刻表」という疑似ＵＩ４３をクリックすると、「Ａ駅時刻表」という疑似ＵＩ４３のＵＩ−ＩＤ、及びその疑似ＵＩ４３をクリックしたことを示すＵＩ操作信号が携帯電話３から中継サーバ４に操作され、中継サーバ４は、受信したＵＩ操作信号に基づいて、Ａ駅時刻表ｗｅｂページを取得する。変換部２５は、このＡ駅時刻表ｗｅｂページを携帯電話３のＬＣＤ１４で表示可能なＡ駅時刻表用ｗｅｂ画像データ（以下、「ＡＳＷ画像データ」と称する）７６（図１６参照）に変換し、通信制御部２６は、ＡＳＷ画像データ７６を携帯電話３に送信する。
【００７０】
図１６に示すように、携帯電話３は、中継サーバ４から送信されたＡＳＷ画像データ７６をＬＣＤ１４に表示させる。
【００７１】
図１５に示す「Ａ駅時刻表」の疑似ＵＩ７４はＵＩ−ＩＤ＝２１が付与され、「Ｂ駅時刻表」の疑似ＵＩ７４はＵＩ−ＩＤ＝２２が付与され、同様に、「Ｃ駅時刻表」〜「Ｇ駅時刻表」の疑似ＵＩ７４は、ＵＩ−ＩＤ＝２３〜２７が付与されている。図１４に示す「ＨＨＨ」の操作履歴ＩＤに対応付けられた操作シーケンスは、先ず、「Ｆｕｊｉｓｅｅｋ」というサイトで、ＵＩ−ＩＤ＝４（「時刻表」）の擬似ＵＩ３３をクリックして、図１５に示す擬似ＵＩ７４をＳＷ画像データ７３に重ねた「Ｆｕｊｉｓｅｅｋ  時刻表」というサイト情報をＬＣＤ１４に表示し、次に、「Ｆｕｊｉｓｅｅｋ  時刻表」で、ＵＩ−ＩＤ＝２１（「Ａ駅時刻表」）の擬似ＵＩ７４をクリックする一連の操作情報である。この操作シーケンスを実行することにより、図１６に示すＡＳＷ画像データ７６である「Ｆｕｊｉｓｅｅｋ  Ａ駅時刻表」というサイト情報がＬＣＤ１４に表示される。
【００７２】
操作履歴学習部２７は、携帯電話３から新たにユーザＩＤが入力されたときに、操作履歴データ７１の操作履歴ＩＤの中から、新たに入力されたのと同じユーザＩＤが対応付けられた操作履歴ＩＤの検索を行う。例えば、ユーザＩＤとして「ｕｓｅｒ１」が入力された場合、操作履歴学習部２７によって、「ｕｓｅｒ１」が対応付けられた「ＧＧＧ」，「ＨＨＨ」，「ＩＩＩ」，「ＪＪＪ」の操作履歴ＩＤが検索される。
【００７３】
並び順制御部２９は、操作履歴学習部２７で検索された操作履歴ＩＤの操作シーケンスを、新たに入力された現在地データを基準にして、距離が近い順に並べる。本実施形態では、「Ａ駅前」から距離が近い順は、「Ａ会社」、「Ｂ駅前」、「Ｂ市１丁目」となる。操作履歴ＩＤ「ＧＧＧ」には「Ｂ駅前」が対応付けられ、同様に、操作履歴ＩＤ「ＨＨＨ」には「Ａ駅前」が、操作履歴ＩＤ「ＩＩＩ」には「Ａ会社内」が、操作履歴ＩＤ「ＪＪＪ」には「Ｂ市１丁目（ｕｓｅｒ１の自宅）」がそれぞれ対応付けられている。例えば、ユーザＩＤとして「ｕｓｅｒ１」が入力され、「Ａ駅前」の現在地データが入力された場合、操作履歴ＩＤ「ＨＨＨ」、「ＩＩＩ」、「ＧＧＧ」、「ＪＪＪ」の操作シーケンスの順に並べられる。
【００７４】
図１７に示すように、変換部２５は、並び順制御部２９によって距離が近い順に並べられた操作シーケンスを、携帯電話３のＬＣＤ１４で表示可能な履歴一覧画像データ８１に変換する。
【００７５】
変換部２５は、履歴一覧画像データ８１に変換するとき、各操作シーケンスを、「番号（距離の近い順に１，２，３・・・）」、「操作内容（クリック、テキスト入力）」、「移動先」の順に簡易的に表示した簡易操作シーケンスを並べた履歴一覧画像データ８１に変換する。この履歴一覧画像データ８１は、携帯電話６３に送信され、ＬＣＤ１４に表示される。この履歴一覧画像データ８１には、「１．クリック。Ａ駅時刻表ページに移動」，「２．クリック。ビジネスニュースページに移動」等の複数の疑似ＵＩ（履歴ＵＩ）８２が重ねて表示される。各擬似ＵＩ８２には、対応する操作履歴ＩＤが付与されている。なお、ＬＣＤ１４に履歴一覧画像データ８１及び疑似ＵＩ８２を表示する制御は、第１実施形態において履歴一覧画像データ５３及び疑似ＵＩ５５をＬＣＤ１４に表示する制御と同様に行われる。
【００７６】
ユーザが操作部１３を操作して、擬似ＵＩ８２をクリックすると、このクリックされた疑似ＵＩ８２に対応した操作履歴ＩＤを示す操作履歴ＩＤ信号が、携帯電話３から中継サーバ４に送信される。中継サーバ４で操作履歴ＩＤ信号を受信すると、操作履歴学習部２７は、操作履歴データ７１の中から、受信した操作履歴ＩＤと同じ操作履歴ＩＤを検索する。そして、検索された操作履歴ＩＤの操作シーケンスが実行される。
【００７７】
次に、上記第２実施形態の作用について、図１８のフローチャートを用いて説明を行う。先ず、携帯電話３が中継サーバ４と接続される（１０１）と、ＣＰＵ１６は、ユーザＩＤを中継サーバ４に送信するとともに、ＧＰＳ算出部６７によって現在地の位置データを算出させる（Ｓ１０２）。以降、（Ｓ１０３）〜（Ｓ１０８）は、第１実施形態の（Ｓ２）〜（Ｓ７）と同様なので、説明を省略する。本実施形態では、ユーザＩＤとして「ｕｓｅｒ１」が入力され、「Ａ駅前」の現在地データが入力された場合について説明を行う。
【００７８】
携帯電話３は、擬似ＵＩ３３をＴＷ画像データ３４の対応する箇所の上に重ねて表示させた（Ｓ１０８）後、ＧＰＳ算出部６７によって算出された現在地データ（「Ａ駅前」）を、中継サーバ４に送信する（Ｓ１０９）。以降、（Ｓ１１０）〜（Ｓ１２１）は、第１実施形態の（Ｓ８）〜（Ｓ２０）に似たステップなので、説明を簡略化する。
【００７９】
操作履歴データ７１内に、受信したユーザＩＤが対応付けられた操作シーケンスがある場合（Ｓ１１０でＹ）、並び順制御部２９は、それらの操作シーケンスを、新たに入力された現在地データ（「Ａ駅前」）を基準にして、距離の近い順に並べる（Ｓ１１１）。この場合、操作履歴ＩＤ「ＨＨＨ」、「ＩＩＩ」、「ＧＧＧ」、「ＪＪＪ」の操作シーケンスの順に並べられる。変換部２５は、距離の近い順に並べられた操作シーケンスを、履歴一覧画像データ８１に変換し、この履歴一覧画像データ８１と疑似ＵＩ表示用データとを、携帯電話３に送信する（Ｓ１１２）。これにより、過去に現在地に近い場所で実行した操作シーケンスが画像の上の方に表示されるから、その操作シーケンスを検索する手間が軽減される。
【００８０】
携帯電話３は、疑似ＵＩ表示用データ及び履歴一覧画像データ８１を中継サーバ４から受信する（Ｓ１１３）と、履歴一覧画像データ８１をＬＣＤ１４に表示させるとともに、疑似ＵＩ８２を履歴一覧画像データ８１の対応する箇所の上に重ねて表示させる（Ｓ１１４）。
【００８１】
ユーザが操作部１３を操作して、所望する操作履歴としての擬似ＵＩ８２（例えば、「１．クリック。Ａ駅時刻表ページに移動」）をクリックする（Ｓ１１５）と、操作された擬似ＵＩ８２の操作履歴ＩＤ（ＨＨＨ）を示す操作履歴ＩＤ信号が、携帯電話３から中継サーバ４に送信される（Ｓ１１６）。中継サーバ４は、操作履歴ＩＤ信号を受信する（Ｓ１１７）と、対応した操作履歴ＩＤ（ＨＨＨ）の操作シーケンスを実行して、ｗｅｂページ（Ａ駅時刻表ｗｅｂページ）を取得する（Ｓ１１８）。このＡ駅時刻表ｗｅｂページはＡＳＷ画像データ７６に変換され（Ｓ１１９）、このＡＳＷ画像データ７６は携帯電話３に送信される（Ｓ１２０）。
【００８２】
携帯電話３は、受信したＡＳＷ画像データ７６をＬＣＤ１４に表示する（Ｓ１２１）。以降、（Ｓ１２２）〜（Ｓ１２４）は、第１実施形態の（Ｓ２１）〜（Ｓ２３）と同様なので、説明を省略する。
【００８３】
［第３実施形態］
図１９〜及び図２３に示す第３実施形態のｗｅｂページ閲覧システムでは、ユーザＩＤ及び操作情報の両方が対応付けられた操作履歴を、携帯電話３と中継サーバ４との接続時間に基づいた順に並べる。なお、システムを構成する部材は第１実施形態と同じものが用いられ、これらの構成部材には同一の符号を付し、その詳細な説明を省略する。
【００８４】
図１９に示すように、操作履歴学習部２７は、操作履歴データ９１を作成して操作履歴ＤＢ２８に記憶する。操作履歴データ９１は、操作履歴ＩＤ、ユーザ情報、操作シーケンスが対応付けられた複数の操作履歴情報から構成される。ユーザ情報は、ユーザＩＤと、ユーザグループと、携帯電話３を接続したときの時間データ（１時間単位）とから構成されている。ユーザＩＤ「ｕｓｅｒ１」，「ｕｓｅｒ２」は、「ユーザグループａａａ」に属し、ユーザＩＤ「ｕｓｅｒ３」は、「ユーザグループｂｂｂ」に属する。
【００８５】
ユーザが、ＬＣＤ１４に表示されたＴＷ画像データ３４上で「タイムカード」という疑似ＵＩ３３（ＵＩ−ＩＤ＝５）にカーソルを合わせてクリックすると、図２０に示すように、ＬＣＤ１４に、タイムカード用ｗｅｂ画像データ（以下、「ＴＣＷ画像データ」と称する）９３が表示される。このＴＣＷ画像データ９３には、出社時間入力用の「テキスト入力ボックス」である疑似ＵＩ（画像ＵＩ）９４ａ、出社時間送信用の「送信ボタン」である疑似ＵＩ（画像ＵＩ）９４ｂ、退社時間入力用の「テキスト入力ボックス」である疑似ＵＩ（画像ＵＩ）９４ｃ、退社時間送信用の「送信ボタン」である疑似ＵＩ（画像ＵＩ）９４ｄが重ねて表示される。なお、「タイムカード」という疑似ＵＩ３３にカーソルを合わせてクリックしてから、ＬＣＤ１４にＴＣＷ画像データ９３及び疑似ＵＩ９４ａ〜９４ｄを表示するまでの制御は、第１実施形態において擬似ＵＩ４３及びＮＷ画像データ４４をＬＣＤ１４に表示するまでの制御と同様に行われる。
【００８６】
ユーザ（ユーザＩＤ「ｕｓｅｒ１」）が、例えば退社時間入力用の疑似ＵＩ９４ｃに「１９：００」と入力し、退社時間送信用の疑似ＵＩ９４ｄをクリックすると、疑似ＵＩ９４ｃ，９４ｄのＵＩ−ＩＤ、及び疑似ＵＩ９４ｃに「１９：００」と入力して疑似ＵＩ９４ｄをクリックしたことを示すＵＩ操作信号が携帯電話３から中継サーバ４に操作され、中継サーバ４は、受信したＵＩ操作信号に基づいて、ユーザＩＤ「ｕｓｅｒ１」の退社時間を「１９：００」としてｗｅｂサーバ５のメモリ（図示せず）に記憶する。これと同時に、中継サーバ４は、ｗｅｂサーバ５から操作シーケンスを実行してタイムカード入力が完了した旨を示す入力完了ｗｅｂページを取得し、この入力完了ｗｅｂページを変換部２５で入力完了ｗｅｂ画像データ（以下、「ＰＣＷ画像データ」と称する）９６（図２１参照）に変換した後に携帯電話３に送信する。
【００８７】
図２１に示すように、携帯電話３は、中継サーバ４から送信されたＩＣＷ画像データ９６をＬＣＤ１４に表示させる。
【００８８】
出社時間入力用の疑似ＵＩ９４ａはＵＩ−ＩＤ＝３１が付与され、出社時間送信用の疑似ＵＩ９４ｂはＵＩ−ＩＤ＝３２が付与され、同様に、退社時間入力用の疑似ＵＩ９４ｃ、退社時間送信用の疑似ＵＩ９４ｄは、ＵＩ−ＩＤ＝３３，３４が付与されている。図１９に示す操作履歴ＩＤ「ＭＭＭ」の操作シーケンスは、先ず、「Ｆｕｊｉｓｅｅｋ」というサイトで、ＵＩ−ＩＤ＝５（「タイムカード」）の擬似ＵＩ３３をクリックして、図２０に示す擬似ＵＩ９４ａ〜９４ｄをＴＣＷ画像データ９３に重ねた「Ｆｕｊｉｓｅｅｋ  タイムカード」というサイト情報をＬＣＤ１４に表示し、次に、「Ｆｕｊｉｓｅｅｋ  タイムカード」で、ＵＩ−ＩＤ＝３３の退社時間入力用の疑似ＵＩ９４ｃに「１９：００」と入力し、ＵＩ−ＩＤ＝３４の出社時間送信用の疑似ＵＩ９４ｄをクリックする一連の操作情報である。この操作シーケンスを実行することにより、中継サーバ４は、ユーザＩＤ「ｕｓｅｒ１」の退社時間を「１９：００」としてｗｅｂサーバ５のメモリに記憶し、図２１に示すＩＣＷ画像データ９６である「Ｆｕｊｉｓｅｅｋ  タイムカード入力完了」というサイト情報がＬＣＤ１４に表示される。
【００８９】
操作履歴学習部２７は、携帯電話３からユーザＩＤ及び第１操作情報が入力されたときに、操作履歴データ９１の中から、入力されたユーザＩＤが属するユーザグループ及び第１操作情報の両方が対応付けられた操作履歴ＩＤの検索を行う。例えば、ユーザＩＤとして「ｕｓｅｒ１」が入力され、第１操作情報として「Ｆｕｊｉｓｅｅｋ」のトップページで「タイムカード（ＵＩ−ＩＤ＝５）」をクリック（以下、「タイムカードクリック」と称する）」が入力された場合、操作履歴学習部２７によって、「ｕｓｅｒ１」が属する「ユーザグループａａａ」及び「タイムカードクリック」の両方が対応付けられた「ＭＭＭ」，「ＮＮＮ」，「ＯＯＯ」，「ＰＰＰ」，「ＱＱＱ」の操作履歴ＩＤが検索される。操作履歴ＩＤ「ＲＲＲ」は、「ユーザグループａａａ」が対応付けられていないため、検索されない。なお、第１操作情報とは、インターネットモードに移行して「Ｆｕｊｉｓｅｅｋ」のトップページが表示されてから、最初に行った操作情報である。
【００９０】
並び順制御部２９は、操作履歴学習部２７で検索された操作履歴ＩＤの操作シーケンスを、新たに携帯電話３が接続された時間を基準にして、時間が近い順に並べる。操作履歴ＩＤ「ＭＭＭ」には「１９：００〜２０：００」が対応付けられ、同様に、操作履歴ＩＤ「ＮＮＮ」には「２０：００〜２１：００」が、操作履歴ＩＤ「ＯＯＯ」には「０７：００〜０８：００」が、操作履歴ＩＤ「ＰＰＰ」には「０９：００〜１０：００」が、操作履歴ＩＤ「ＱＱＱ」には「２１：００〜２２：００」がそれぞれ対応付けられている。例えば、ユーザＩＤとして「ｕｓｅｒ１」が入力され、第１操作情報として「タイムカードクリック」が入力され、新たに携帯電話３が接続された時間が「１９：２０」である場合、操作履歴ＩＤ「ＭＭＭ」、「ＮＮＮ」、「ＱＱＱ」、「ＰＰＰ」、「ＯＯＯ」の操作シーケンスの順に並べられる。
【００９１】
図２２に示すように、変換部２５は、並び順制御部２９によって時間の近い順に並べられた操作シーケンスを、携帯電話３のＬＣＤ１４で表示可能な履歴一覧画像データ９８に変換する。
【００９２】
変換部２５は、履歴一覧画像データ９８に変換するとき、「番号（時間の近い順に１，２，３・・・）」、「操作内容（クリック）」、「移動先」、「操作内容（テキスト入力）」の順に簡易的に表示した簡易操作シーケンスを並べた履歴一覧画像データ９８に変換する。この履歴一覧画像データ９８は、携帯電話３に送信され、ＬＣＤ１４に表示される。この履歴一覧画像データ９８には、「１．クリック。タイムカードページに移動。テキスト（退社時間）入力「１９：００」」，「２．クリック。タイムカードページに移動。テキスト（退社時間）入力「２０：００」」等の複数の疑似ＵＩ（履歴ＵＩ）９９が重ねて表示される。各擬似ＵＩ９９には、対応する操作履歴ＩＤが付与されている。なお、ＬＣＤ１４に履歴一覧画像データ９８及び疑似ＵＩ９９を表示する制御は、第１実施形態において履歴一覧画像データ５３及び疑似ＵＩ５５をＬＣＤ１４に表示するまでの制御と同様に行われる。
【００９３】
ユーザが操作部１３を操作して、擬似ＵＩ９９（例えば、「１．クリック。タイムカードページに移動。テキスト（退社時間）入力「１９：００」）をクリックすると、このクリックされた疑似ＵＩ９９に対応した操作履歴ＩＤ（「ＭＭＭ」）を示す操作履歴ＩＤ信号が、携帯電話３から中継サーバ４に送信される。中継サーバ４で操作履歴ＩＤ信号を受信すると、操作履歴学習部２７は、操作履歴データ９１の中から、受信した操作履歴ＩＤと同じ操作履歴ＩＤを検索する。そして、検索された操作履歴ＩＤの操作シーケンスが実行される。
【００９４】
次に、上記第３実施形態の作用について、図２３のフローチャートを用いて説明を行う。先ず、携帯電話３が中継サーバ４と接続される（２０１）と、ＣＰＵ１６は、ユーザＩＤを中継サーバ４に送信する。以降、（Ｓ２０２）〜（Ｓ２０７）は、第１実施形態の（Ｓ２）〜（Ｓ７）と同様なので、説明を省略する。本実施形態では、新たに携帯電話３が接続された時間が「１９：２０」で、ユーザＩＤとして「ｕｓｅｒ１」が入力され、第１操作情報として「タイムカードクリック」が入力された場合について説明を行う。
【００９５】
携帯電話３で、擬似ＵＩ３３をＴＷ画像データ３４の対応する箇所の上に重ねて表示させた（Ｓ２０７）後、ユーザが、ＬＣＤ１４に表示されたＴＷ画像データ３４上で「タイムカード」という疑似ＵＩ３３（ＵＩ−ＩＤ＝５）にカーソルを合わせてクリックすると、第１操作情報として「タイムカードクリック」が中継サーバ４に送信される（Ｓ２０８）。以降、（Ｓ２０９）〜（Ｓ２２０）は、第１実施形態の（Ｓ８）〜（Ｓ２０）に似たステップなので、説明を簡略化する。
【００９６】
操作履歴データ９１に、受信したユーザＩＤ（「ｕｓｅｒ１」）が属するユーザグループ（「ユーザグループａａａ」）及び第１操作情報（「タイムカードクリック」）の両方が対応付けられた操作シーケンスがある場合（Ｓ２０９でＹ）、並び順制御部２９は、それらの操作シーケンスを、新たに携帯電話３が接続された時間（「１９：２０」）を基準にして、時間の近い順に並べる（Ｓ２１０）。この場合、操作履歴ＩＤ「ＭＭＭ」、「ＮＮＮ」、「ＱＱＱ」、「ＰＰＰ」、「ＯＯＯ」の操作シーケンスの順に並べられる。
【００９７】
変換部２５は、時間の近い順に並べられた操作シーケンスを、履歴一覧画像データ９８に変換し、この履歴一覧画像データ９８と疑似ＵＩ表示用データとを、携帯電話３に送信する（Ｓ２１１）。これにより、過去に現時刻に近い時間に実行した操作シーケンスが、画像の上の方に表示されるから、その操作シーケンスを検索する手間が軽減される。
【００９８】
携帯電話３は、疑似ＵＩ表示用データ及び履歴一覧画像データ９８を中継サーバ４から受信する（Ｓ２１２でＹ）と、履歴一覧画像データ９８をＬＣＤ１４に表示させるとともに、疑似ＵＩ９９を履歴一覧画像データ９８の対応する箇所の上に重ねて表示させる（Ｓ２１３）。
【００９９】
ユーザが操作部１３を操作して、所望する操作履歴としての擬似ＵＩ９７（例えば、「１．クリック。タイムカードページに移動。テキスト（退社時間）入力「１９：００」）をクリックする（Ｓ２１４）と、操作された擬似ＵＩ９７の操作履歴ＩＤ（ＭＭＭ）を示す操作履歴ＩＤ信号が、携帯電話３から中継サーバ４に送信される（Ｓ２１５）。中継サーバ４は、操作履歴ＩＤ信号を受信する（Ｓ２１６）と、対応した操作履歴ＩＤ（ＭＭＭ）の操作シーケンスを実行して、ユーザＩＤ「ｕｓｅｒ１」の退社時間を「１９：００」としてｗｅｂサーバ５のメモリに記憶するとともに、入力完了ｗｅｂページを取得する（Ｓ２１７）。この入力完了ｗｅｂページはＩＣＷ画像データ９６に変換され（Ｓ２１８）、このＩＣＷ画像データ９６は携帯電話３に送信される（Ｓ２１９）。
【０１００】
携帯電話３は、受信したＩＣＷ画像データ９６をＬＣＤ１４に表示する（Ｓ２２０）。以降、（Ｓ２２１）〜（Ｓ２２３）は、第１実施形態の（Ｓ２１）〜（Ｓ２３）と同様なので、説明を省略する。
【０１０１】
なお、図２４に示すように、ＬＣＤ１４に表示する画像をトップページ（ＴＷ画像データ３４）に戻すためのボタンを、履歴一覧画像データ５３上に表示してもよい。この場合、「トップページに戻す」ボタンを画疑似ＵＩ５５として履歴一覧画像データ５３上に表示させるようにするデータを、疑似ＵＩ表示用データに含ませる。ユーザが操作部１３を操作して「トップページに戻す」ボタンの擬似ＵＩ５５をクリックすると、ＣＰＵ１６は、ＴＷ画像データ３４をＬＣＤ１４に表示する。これにより、操作履歴にないｗｅｂページの閲覧が可能となる。同様に、上記「トップページに戻す」ボタンの疑似ＵＩを、第２，第３実施形態の各履歴一覧画像データ８１，９８上に表示してもよい。
【０１０２】
また、上記第３実施形態では、全ての操作シーケンスを履歴一覧画像データ９８に変換しているが、接続された時間に応じて、変換する操作シーケンスを選択するようにしてもよい。例えば、接続時間との時間差が所定時間（例えば、６時間）以内の操作シーケンスを変換し、その他の操作シーケンス（接続時間との時間差が６時間を超えている操作シーケンス）は変換しないようにしてもよい。
【０１０３】
さらに、上記第３実施形態では、ユーザが、「タイムカード」という疑似ＵＩ３３にカーソルを合わせてクリックすると、ＬＣＤ１４に、ＴＣＷ画像データ９３が表示されるようにしているが、「タイムカード」の疑似ＵＩ３３をクリックすると、タイムカードを入力する会社を選択できるようにしてもよい。これにより、複数の会社に対して、タイムカード入力サービスを提供することができる。
【０１０４】
また、上記第１〜第３実施形態では、操作シーケンスを、操作回数の多い順、現在地に近い順、接続時間が近い順に並べているが、操作回数の少ない順、現在地に遠い順、接続場所の緯度が高い順、接続時間が遠い順に並べてもよい。
【０１０５】
さらに、操作回数、接続場所、接続時間のうちの少なくとも１つの情報に基づいた順に、操作履歴を並べればよく、いずれか２つの情報や３つ全ての情報に基づいた順に操作履歴を並べてもよい。さらに、接続した時期や曜日に基づいた順に操作履歴を並べてもよい。
【０１０６】
また、上記第１〜第３実施形態では、ユーザＩＤが入力される度に、並び順制御部によって並べられた操作シーケンスを、履歴一覧画像データに変換しているが、履歴一覧画像データをユーザＩＤ毎に予め作成し、操作履歴ＤＢに記憶しておいてもよい。
【符号の説明】
【０１０７】
２  ｗｅｂページ閲覧システム
３  携帯電話
４  中継サーバ
５  ｗｅｂサーバ
６  インターネット
１３  操作部
１６  ＣＰＵ（表示制御手段）
２２  ユーザ管理・認証部
２４  ｗｅｂページ取得部
２５  変換部
２６  通信制御部（サーバ送信制御手段）
２７  操作履歴学習部（検索手段）（生成手段）
２８  操作履歴ＤＢ
２９  並び順制御部
３０  トップｗｅｂページ
３１  ＵＩ
３２  ＵＩ表示用データ
３３，４３，７４，９４ａ〜９４ｄ，  疑似ＵＩ（画像ＵＩ）
５１，７１，９１  操作履歴データ
５３，８１，９８  履歴一覧画像データ
５５，８２，９９  疑似ＵＩ（履歴ＵＩ）
【図１】
2011141617.tif 000003
【図２】
2011141617.tif 000004
【図３】
2011141617.tif 000005
【図４】
2011141617.tif 000006
【図５】
2011141617.tif 000007
【図６】
2011141617.tif 000008
【図７】
2011141617.tif 000009
【図８】
2011141617.tif 000010
【図９】
2011141617.tif 000011
【図１０】
2011141617.tif 000012
【図１１】
2011141617.tif 000013
【図１２】
2011141617.tif 000014
【図１３】
2011141617.tif 000015
【図１４】
2011141617.tif 000016
【図１５】
2011141617.tif 000017
【図１６】
2011141617.tif 000018
【図１７】
2011141617.tif 000019
【図１８】
2011141617.tif 000020
【図１９】
2011141617.tif 000021
【図２０】
2011141617.tif 000022
【図２１】
2011141617.tif 000023
【図２２】
2011141617.tif 000024
【図２３】
2011141617.tif 000025
【図２４】
2011141617.tif 000026